(57)【要約】【課題】電子機器同士の接続の態様のバリエーションを増やす。【解決手段】第１の電子機器と、第１の電子機器が出力するベースバンド信号を受信する第２の電子機器とが接続されたときに、第１の電子機器によって検出される、第２の電子機器が内蔵する機構に相当する被検出機構であって、第１の電子機器と接続される被検出機構と、第１の電子機器と第２の電子機器との接続が検出された場合に、被検出機構を、第１の電子機器に接続する接続部と、第１の電子機器が出力するベースバンド信号を、ベースバンド信号よりも高い周波数帯域の信号に周波数変換したミリ波帯の信号を生成するミリ波生成部とを備え、接続部が接続され、ベースバンド信号が入力されているとき、ミリ波生成部はミリ波帯の信号を生成する。本技術は、例えば、ＵＳＢ（Universal Serial Bus)ホストが、ＵＳＢデバイスとの接続を認識する接続等に適用できる。【選択図】図３
2018113612.tif 000002
【特許請求の範囲】
【請求項１】
第１の電子機器と、前記第１の電子機器が出力するベースバンド信号を受信する第２の電子機器とが接続されたときに、前記第１の電子機器によって検出される、前記第２の電子機器が内蔵する機構に相当する被検出機構であって、前記第１の電子機器と接続される被検出機構と、
前記第１の電子機器と前記第２の電子機器との接続が検出された場合に、前記被検出機構を、前記第１の電子機器に接続する接続部と、
前記第１の電子機器が出力するベースバンド信号を、前記ベースバンド信号よりも高い周波数帯域の信号に周波数変換したミリ波帯の信号を生成するミリ波生成部と
を備え、
前記接続部が接続され、前記ベースバンド信号が入力されているとき、前記ミリ波生成部は前記ミリ波帯の信号を生成する
通信装置。
【請求項２】
前記ベースバンド信号を検出する信号検出部をさらに備え、
前記信号検出部が、前記ベースバンド信号を検出したとき、前記ミリ波生成部は前記ミリ波帯の信号を生成する
請求項１に記載の通信装置。
【請求項３】
前記信号検出部が、前記ベースバンド信号を検出し、かつ前記第１の電子機器と前記第２の電子機器との接続が検出された状態であることを示す信号が供給されたとき、前記ミリ波生成部は前記ミリ波帯の信号を生成する
請求項２に記載の通信装置。
【請求項４】
前記被検出機構、前記接続部、および前記ミリ波生成部は、１つのＩＣ（Integrated Circuit）に含まれている
請求項１に記載の通信装置。
【請求項５】
前記被検出機構は、コモンモードインピーダンスで構成される
請求項１に記載の通信装置。
【請求項６】
第１の電子機器と、前記第１の電子機器が出力するベースバンド信号を受信する第２の電子機器とが接続されたときに、前記第１の電子機器によって検出される、前記第２の電子機器が内蔵する機構に相当する被検出機構であって、前記第１の電子機器と接続される被検出機構を備える通信装置の通信方法において、
前記第１の電子機器と前記第２の電子機器との接続が検出された場合に、前記被検出機構を、前記第１の電子機器に接続し、
前記第１の電子機器が出力するベースバンド信号を、前記ベースバンド信号よりも高い周波数帯域の信号に周波数変換したミリ波帯の信号を生成する
ステップを含み、
前記被検出機構が前記第１の電子機器と接続され、前記ベースバンド信号が入力されているとき、前記ミリ波帯の信号を生成する
通信方法。
【発明の詳細な説明】
【技術分野】
【０００１】
本技術は、通信装置、通信方法に関し、特に、例えば、ＵＳＢ（Universal Serial Bus)規格に準拠したＵＳＢホストおよびＵＳＢデバイス等の電子機器同士の接続の態様のバリエーションを増やすことができるようにする通信装置、通信方法に関する。
【背景技術】
【０００２】
例えば、ＵＳＢ規格に準拠した電子機器としては、ＵＳＢホスト（となる電子機器）とＵＳＢデバイス（となる電子機器）とがある。
【０００３】
ＵＳＢホストとＵＳＢデバイスとは、例えば、ＵＳＢケーブルを用いて接続され、ＵＳＢホストが主導的に、ＵＳＢホストとＵＳＢデバイスとの間の通信を制御する。
【０００４】
ＵＳＢ規格は、バスパワー（ド）に対応しており、ＵＳＢケーブルによれば、信号（データ）の他、ＵＳＢホストからＵＳＢデバイスに対して、電源を供給することができる。
【０００５】
但し、ＵＳＢ規格では、１本のＵＳＢケーブルによって、電源として供給することができる電流の上限が規定されている。そこで、消費電流がＵＳＢ規格の規定の上限を超えるＵＳＢデバイスに対して、ＵＳＢホストから、電源を供給する技術が提案されている（例えば、特許文献１を参照）。
【先行技術文献】
【特許文献】
【０００６】
【特許文献１】特開2012-008716号公報
【発明の概要】
【発明が解決しようとする課題】
【０００７】
ところで、電子機器同士の接続については、接続の態様のバリエーションを増やすことが要請されている。
【０００８】
本技術は、このような状況に鑑みてなされたものであり、電子機器同士の接続の態様のバリエーションを増やすことができるようにするものである。
【課題を解決するための手段】
【０００９】
本技術の一側面の通信装置は、第１の電子機器と、前記第１の電子機器が出力するベースバンド信号を受信する第２の電子機器とが接続されたときに、前記第１の電子機器によって検出される、前記第２の電子機器が内蔵する機構に相当する被検出機構であって、前記第１の電子機器と接続される被検出機構と、前記第１の電子機器と前記第２の電子機器との接続が検出された場合に、前記被検出機構を、前記第１の電子機器に接続する接続部と、前記第１の電子機器が出力するベースバンド信号を、前記ベースバンド信号よりも高い周波数帯域の信号に周波数変換したミリ波帯の信号を生成するミリ波生成部とを備え、前記接続部が接続され、前記ベースバンド信号が入力されているとき、前記ミリ波生成部は前記ミリ波帯の信号を生成する。
【００１０】
本技術の一側面の通信方法は、第１の電子機器と、前記第１の電子機器が出力するベースバンド信号を受信する第２の電子機器とが接続されたときに、前記第１の電子機器によって検出される、前記第２の電子機器が内蔵する機構に相当する被検出機構であって、前記第１の電子機器と接続される被検出機構を備える通信装置の通信方法において、前記第１の電子機器と前記第２の電子機器との接続が検出された場合に、前記被検出機構を、前記第１の電子機器に接続し、前記第１の電子機器が出力するベースバンド信号を、前記ベースバンド信号よりも高い周波数帯域の信号に周波数変換したミリ波帯の信号を生成するステップを含み、前記被検出機構が前記第１の電子機器と接続され、前記ベースバンド信号が入力されているとき、前記ミリ波帯の信号を生成する。
【００１１】
本技術の一側面の通信装置、通信方法においては、第１の電子機器と、第１の電子機器が出力するベースバンド信号を受信する第２の電子機器とが接続されたときに、第１の電子機器によって検出される、第２の電子機器が内蔵する機構に相当する被検出機構であって、第１の電子機器と接続される被検出機構が備えられ、第１の電子機器と第２の電子機器との接続が検出された場合に、被検出機構が、第１の電子機器に接続され、第１の電子機器が出力するベースバンド信号が、ベースバンド信号よりも高い周波数帯域の信号に周波数変換したミリ波帯の信号が生成される。また被検出機構が第１の電子機器と接続され、ベースバンド信号が入力されているとき、ミリ波帯の信号が生成される。
【００１２】
なお、通信装置は、独立した装置であっても良いし、１つの装置を構成している内部ブロックであっても良い。
【発明の効果】
【００１３】
本技術によれば、電子機器同士の接続の態様のバリエーションを増やすことができる。
【００１４】
なお、ここに記載された効果は必ずしも限定されるものではなく、本開示中に記載されたいずれかの効果であってもよい。
【図面の簡単な説明】
【００１５】
【図１】電子機器同士が電気ケーブルにより接続された通信システムの構成例を示す図である。
【図２】通信システムの動作の例を説明する図である。
【図３】ミリ波帯の変調信号によるデータ伝送を行う通信システムの構成例を示す図である。
【図４】通信部の構成例を示すブロック図である。
【図５】送信部の構成について説明するための図である。
【図６】送信部の他の構成について説明するための図である。
【図７】受信部の構成について説明するための図である。
【図８】状態変化について説明するための図である。
【図９】状態変化について説明するための図である。
【図１０】送信部の他の構成について説明するための図である。
【図１１】送信部の他の構成について説明するための図である。
【図１２】通信路確立に係わる処理について説明するためのフローチャートである。
【図１３】通信システムの他の構成例を示す図である。
【図１４】通信システムの他の構成例を示す図である。
【図１５】通信システムの他の構成例を示す図である。
【発明を実施するための形態】
【００１６】
以下に、本技術を実施するための形態（以下、実施の形態という）について説明する。
【００１７】
＜電子機器同士が電気ケーブルにより接続された通信システム＞
図１は、電子機器同士が電気ケーブルにより接続された通信システムの構成例を示す図である。
【００１８】
図１の通信システムでは、電子機器１０と電子機器２０とが、電気ケーブル３０により接続される。
【００１９】
電子機器１０は、電気ケーブル３０のコネクタ３１と接続可能なコネクタ１１を有し、そのコネクタ１１を介して、電子機器２０等の他の機器との間で、ベースバンドのベースバンド信号のやりとり（入出力）が可能になっている。
【００２０】
電子機器２０は、電気ケーブル３０のコネクタ３２と接続可能なコネクタ２１を有し、そのコネクタ２１を介して、電子機器１０等の他の機器との間で、ベースバンドのベースバンド信号のやりとり（入出力）が可能になっている。
【００２１】
また、電子機器２０は、電子機器１０と、電子機器１０が出力するベースバンド信号を受信する電子機器２０とが接続されたときに、電子機器１０によって検出される被検出機構２２を内蔵している。
【００２２】
電気ケーブル３０は、ベースバンド信号としての電気信号の伝達に用いられる導体（以下、ベースバンド用導体ともいう）を心線（コネクタ３１とコネクタ３２とを接続する線）として有するケーブルであり、一端には、電子機器１０に接続されるコネクタ３１が設けられ、他端には、電子機器２０に接続されるコネクタ３２が設けられている。
【００２３】
以上のように構成される通信システムでは、電子機器１０と電子機器２０とが、電気ケーブル３０を用いて接続されると、すなわち、電子機器１０のコネクタ１１と電気ケーブル３０のコネクタ３１とが接続されるとともに、電子機器２０のコネクタ２１と電気ケーブル３０のコネクタ３２とが接続されると、電子機器１０では、電気ケーブル３０を介して、電子機器２０が内蔵する被検出機構２２が検出され、この被検出機構２２の検出によって、電子機器２０との接続が認識される。
【００２４】
以上のように、被検出機構２２の検出によって、電子機器同士の接続を検出（認識）する方法は、例えば、ＵＳＢ（ＵＳＢ3.0)規格等で採用されている。
【００２５】
以下、電子機器１０と電子機器２０が、例えば、ＵＳＢ規格に準拠した電子機器であるとして、本技術について説明する。
【００２６】
電子機器１０と電子機器２０が、ＵＳＢ規格に準拠した電子機器である場合、電子機器１０、および、電子機器２０、並びに、電気ケーブル３０は、それぞれ、ＵＳＢホスト、および、ＵＳＢデバイス、並びに、ＵＳＢケーブルであり、以下、ＵＳＢホスト１０、および、ＵＳＢデバイス２０、並びに、ＵＳＢケーブル３０とも記載する。
【００２７】
また、電子機器１０と電子機器２０が、ＵＳＢ規格に準拠した電子機器である場合、電子機器１０のコネクタ１１、および、電子機器２０のコネクタ２１は、ＵＳＢコネクタ（ソケット）（レセプタクル）であり、以下、コネクタ１１とコネクタ２１を、それぞれ、ＵＳＢコネクタ１１とコネクタ２１とも記載する。
【００２８】
さらに、電子機器１０と電子機器２０が、ＵＳＢ規格に準拠した電子機器である場合、ＵＳＢケーブル３０のコネクタ３１とコネクタ３２は、ＵＳＢコネクタ（プラグ）であり、以下、コネクタ３１とコネクタ３２を、それぞれ、ＵＳＢコネクタ３１とＵＳＢコネクタ３２とも記載する。
【００２９】
ＵＳＢホスト１０は、例えば、PC(Personal Computer)やディジタルカメラ等の、独自に（バスパワーによらずに）外部電源から電源の供給を受けるか、または、内蔵するバッテリから電源の供給を受けて動作する、少なくとも、ＵＳＢホストとなる機能を有する電子機器である。
【００３０】
ＵＳＢホスト１０については、そのＵＳＢホスト１０が有するＵＳＢコネクタ１１に、ＵＳＢケーブル３０のＵＳＢコネクタ３１が挿入されることで、ＵＳＢコネクタ１１とＵＳＢコネクタ３１とが接続（結合）される。
【００３１】
ＵＳＢデバイス２０は、例えば、ディスクドライブ等の、バスパワーによる電源の供給、または、外部電源、若しくは、内蔵するバッテリからの電源の供給を受けて動作する、少なくともＵＳＢデバイスとなる機能を有する電子機器である。
【００３２】
ＵＳＢデバイス２０については、そのＵＳＢデバイス２０が有するＵＳＢコネクタ２１に、ＵＳＢケーブル３０のＵＳＢコネクタ３２が挿入されることで、ＵＳＢコネクタ２１とＵＳＢコネクタ３２とが接続される。
【００３３】
ＵＳＢケーブル３０は、ＵＳＢ規格に準拠したケーブルであり、一端には、ＵＳＢホスト１０に接続されるＵＳＢコネクタ３１が設けられ、他端には、ＵＳＢデバイス２０に接続されるＵＳＢコネクタ３２が設けられている。ＵＳＢケーブル３０の心線は、例えば、銅等のベースバンド用導体で構成される。
【００３４】
以上のように構成される通信システムでは、ＵＳＢホスト１０とＵＳＢデバイス２０とが、ＵＳＢケーブル３０を用いて接続されると、ＵＳＢホスト１０では、ＵＳＢケーブル３０を介して、ＵＳＢデバイス２０が内蔵する被検出機構２２が検出され、この被検出機構２２の検出によって、ＵＳＢデバイス２０との接続が認識される。
【００３５】
ＵＳＢデバイス２０が内蔵する被検出機構２２は、例えば、ＵＳＢ3.0規格やＵＳＢ3.1規格で採用されているコモンモードインピーダンスとしての抵抗で構成される。
【００３６】
ＵＳＢホスト１０とＵＳＢデバイス２０とが接続されると、ＵＳＢホスト１０には、ＵＳＢデバイス２０が内蔵する被検出機構２２であるコモンモードインピーダンスが（電気的に）接続され、その結果、ＵＳＢホスト１０（の内部側）からＵＳＢコネクタ１１側を見たときのインピーダンスが、ＵＳＢホスト１０とＵＳＢデバイス２０とが接続されていない場合と、ＵＳＢホスト１０とＵＳＢデバイス２０とが接続されている場合とで変化する。
【００３７】
ＵＳＢホスト１０では、ＵＳＢホスト１０からＵＳＢコネクタ１１側を見たときのインピーダンスが、ＵＳＢホスト１０に被検出機構２２であるコモンモードインピーダンスが接続されている場合のインピーダンスになっていることをもって、ＵＳＢデバイス２０が接続されていることを認識（検出）される。
【００３８】
なお、ＵＳＢホスト１０において、ＵＳＢホスト１０からＵＳＢコネクタ１１側を見たときのインピーダンスの検出、すなわち、被検出機構２２であるコモンモードインピーダンスの検出は、ＵＳＢホスト１０からＵＳＢコネクタ１１側を見たときの電圧の時定数（ＵＳＢホスト１０からＵＳＢコネクタ１１側を見たときの電圧の変化率）を検出することにより、等価的に行われる。
【００３９】
図２は、図１の通信システムの動作の例を説明する図である。
【００４０】
ＵＳＢホスト１０とＵＳＢデバイス２０とが接続されていない場合、ＵＳＢホスト１０には、ＵＳＢデバイス２０が内蔵する被検出機構２２が接続されていないため、ＵＳＢホスト１０からは、被検出機構２２を検出することはできない。
【００４１】
ＵＳＢホスト１０とＵＳＢデバイス２０とが、ＵＳＢケーブル３０を介して接続されると、ＵＳＢホスト１０には、ＵＳＢケーブル３０を介して、ＵＳＢデバイス２０が内蔵する被検出機構２２が接続され、ＵＳＢホスト１０では、被検出機構２２が検出される。
【００４２】
ＵＳＢホスト１０は、被検出機構２２を検出すると、ＵＳＢデバイス２０と接続されたことを認識（検出）し、ポーリングを行うポーリングステートに遷移して、ＵＳＢコネクタ１１から、ポーリングとしてのベースバンド信号の出力を開始する。
【００４３】
そして、ＵＳＢデバイス２０が、ＵＳＢホスト１０からのポーリングに対して応答すると、ＵＳＢホスト１０とＵＳＢデバイス２０とは、通信（ベースバンド信号のやりとり）が可能な状態になる。
【００４４】
＜ミリ波帯の変調信号によるデータ伝送を行う通信システム＞
図３は、ミリ波帯の変調信号によるデータ伝送を行う通信システムの構成例を示す図である。
【００４５】
なお、図中、図１の場合と対応する部分については、同一の符号を付してあり、以下では、その説明は、適宜省略する。
【００４６】
図３の通信システムは、ＵＳＢホスト１０とＵＳＢデバイス２０を有する点で、図１の場合と共通する。
【００４７】
但し、図３の通信システムは、ＵＳＢケーブル３０に代えて、ミリ波ケーブル５０とミリ波ケーブル６０が設けられている点で、図１の場合と相違する。また、ミリ波ケーブル５０は、ＵＳＢコネクタ５１とミリ波コネクタ５２を有する点で、図１の場合と相違する。さらに、ミリ波コネクタ５２には、通信部５３が含まれ、その通信部５３には、被検出機構５４が含まれる構成とされている。
【００４８】
なお、通信部５３は、ミリ波コネクタ５２ではなく、ＵＳＢコネクタ５１に内蔵させることができる。
【００４９】
ここで、ミリ波帯の（変調）信号とは、周波数が30乃至300GHz程度、すなわち、波長が、1乃至10mm程度の信号である。ミリ波帯の信号によれば、周波数が高いことから、高速のデータレートでのデータ伝送が可能であり、様々な導波路を伝送路とする通信を行うことができる。
【００５０】
すなわち、ミリ波帯の信号によれば、例えば、小さなアンテナを用いて、自由空間を伝送路とする通信（無線通信）を行うことができる。また、ミリ波帯の信号によれば、メタリック線や、プラスチック等の誘電体を伝送路とする通信を行うことができる。
【００５１】
ミリ波ケーブル５０は、一端に、ＵＳＢホスト１０に接続されるＵＳＢコネクタ５１が設けられ、他端に、ミリ波コネクタ６２と勘合するミリ波コネクタ５２が設けられているケーブルである。ミリ波ケーブル５０において、ＵＳＢコネクタ５１とミリ波コネクタ５２（の通信部５３）とを接続する心線としては、ＵＳＢケーブル３０と同様に、ベースバンド用導体が採用されている。
【００５２】
ミリ波コネクタ５２は、ミリ波帯の変調信号（RF（Radio Frequency)信号）を伝送する導波路となる誘電体等の材料で構成され、ミリ波帯の変調信号による通信を行う通信部５３を内蔵する。
【００５３】
通信部５３は、ＵＳＢホスト１０から、ＵＳＢコネクタ５１の図示せぬデータ伝送用の端子（例えば、ＵＳＢ3.0規格であれば、ＵＳＢ3.0用の+と-の信号送信線の端子）を介して供給されるベースバンド信号である差動信号を、ミリ波帯の変調信号に周波数変換し、その変調信号を、導波路としてのミリ波コネクタ５２とミリ波コネクタ６２を介して（通信部６３に）送信する。
【００５４】
また、通信部５３は、導波路としてのミリ波コネクタ５２とミリ波コネクタ６２を介して（通信部６３から）送信されてくるミリ波帯の変調信号を受信し、ベースバンド信号に周波数変換して、ＵＳＢコネクタ５１の図示せぬデータ伝送用の端子（例えば、ＵＳＢ3.0であれば、ＵＳＢ3.0用の+と-の信号受信線の端子）を介して、ＵＳＢホスト１０に供給する。
【００５５】
ミリ波ケーブル６０は、ミリ波ケーブル５０と同様に構成される。
【００５６】
すなわち、ミリ波ケーブル６０は、一端に、ＵＳＢデバイス２０に接続されるＵＳＢコネクタ６１が設けられ、他端に、ミリ波コネクタ５２と勘合するミリ波コネクタ６２が設けられているケーブルである。ミリ波ケーブル６０において、ＵＳＢコネクタ６１とミリ波コネクタ６２（の通信部６３）とを接続する心線としては、ＵＳＢケーブル３０と同様に、ベースバンド用導体が採用されている。
【００５７】
ミリ波コネクタ６２は、ミリ波帯の変調信号を伝送する導波路となる誘電体等の材料で構成され、ミリ波帯の変調信号による通信を行う通信部６３を内蔵する。
【００５８】
通信部６３は、ＵＳＢデバイス２０から、ＵＳＢコネクタ６１の図示せぬデータ伝送用の端子を介して供給されるベースバンド信号である差動信号を、ミリ波帯の変調信号に周波数変換し、その変調信号を、導波路としてのミリ波コネクタ６２とミリ波コネクタ５２を介して（通信部５３に）送信する。
【００５９】
また、通信部６３は、導波路としてのミリ波コネクタ５２とミリ波コネクタ６２を介して（通信部５３から）送信されてくるミリ波帯の変調信号を受信し、ベースバンド信号に周波数変換して、ＵＳＢコネクタ６１の図示せぬデータ伝送用の端子を介して、ＵＳＢデバイス２０に供給する。
【００６０】
なお、ミリ波ケーブル５０とミリ波ケーブル６０それぞれの長さとしては、例えば、10cm乃至1m程度を採用することができる。
【００６１】
以上のように構成される図３の通信システムでは、ＵＳＢコネクタ１１とＵＳＢコネクタ５１、ミリ波コネクタ５２とミリ波コネクタ６２、および、ＵＳＢコネクタ２１とＵＳＢコネクタ６１のそれぞれが接続されると、ＵＳＢホスト１０とＵＳＢデバイス２０との間で、ミリ波ケーブル５０とミリ波ケーブル６０を介して、データ伝送が可能になる。
【００６２】
すなわち、ＵＳＢホスト１０が送信するデータとしてのベースバンド信号は、通信部５３において、ミリ波帯の変調信号に周波数変換されて送信される。
【００６３】
通信部５３が送信する変調信号は、通信部６３で受信され、ベースバンド信号に周波数変換されて、ＵＳＢデバイス２０に供給される。
【００６４】
一方、ＵＳＢデバイス２０が送信するデータとしてのベースバンド信号は、通信部６３において、ミリ波帯の変調信号に周波数変換されて送信される。
【００６５】
通信部６３が送信する変調信号は、通信部５３で受信され、ベースバンド信号に周波数変換されて、ＵＳＢホスト１０に供給される。
【００６６】
以上のように、図３の通信システムでは、電子機器であるＵＳＢホスト１０とＵＳＢデバイス２０とが、ＵＳＢケーブル３０ではなく、ミリ波ケーブル５０とミリ波ケーブル６０で接続され、ＵＳＢホスト１０とＵＳＢデバイス２０との間でのデータ伝送が、ミリ波帯の変調信号を介して行われるので、電子機器同士の接続の態様のバリエーションを増やすことができる。
【００６７】
ここで、図３の通信システムにおいて、ミリ波帯の変調信号の送受信が行われる通信部５３と通信部６３を内蔵するミリ波コネクタ５２とミリ波コネクタ６２は、プラスチック等の誘電体やその他の非金属で構成することができる。
【００６８】
したがって、ミリ波コネクタ５２とミリ波コネクタ６２によれば、金属で構成されるコネクタに比較して、防水や防塵の対応が容易になり、挿抜による接点の劣化を考慮せずに済み、さらに、デザインの自由度を高くすることができる。
【００６９】
なお、ミリ波コネクタ５２とミリ波コネクタ６２は、非金属ではなく、金属で構成することができる。
【００７０】
また、図３では、通信部５３が、ミリ波コネクタ５２に内蔵されているが、通信部５３は、その他、例えば、ＵＳＢコネクタ５１に内蔵させることができる。
【００７１】
通信部５３を、ＵＳＢコネクタ５１に内蔵させる場合には、ミリ波ケーブル５０のＵＳＢコネクタ５１とミリ波コネクタ５２との間を、ベースバンド用導体ではなく、ミリ波の伝送路となる導波路に構成すること（例えば、誘電率が異なる誘電体等によって、ミリ波を導く伝送路を形成すること）が必要である。
【００７２】
同様に、通信部６３は、ミリ波コネクタ６２ではなく、ＵＳＢコネクタ６１に内蔵させることができる。通信部６３を、ＵＳＢコネクタ６１に内蔵させる場合には、やはり、ミリ波ケーブル６０のＵＳＢコネクタ６１とミリ波コネクタ６２との間を、ミリ波の伝送路となる導波路に構成することが必要である。
【００７３】
ところで、ＵＳＢホスト１０とＵＳＢデバイス２０は、ミリ波帯の変調信号をやりとりする通信部５３と通信部６３を介して接続される。そのため、ＵＳＢホスト１０とＵＳＢデバイス２０とが、ミリ波ケーブル５０とミリ波ケーブル６０を用いて接続されても、ＵＳＢホスト１０から、ＵＳＢデバイス２０が内蔵する被検出機構２２を検出することが困難となる。
【００７４】
そして、ＵＳＢホスト１０において、ＵＳＢデバイス２０が内蔵する被検出機構２２が検出されない場合、ＵＳＢデバイス２０と接続されたことが認識（検出）されず、ＵＳＢホスト１０とＵＳＢデバイス２０とが、ミリ波ケーブル５０とミリ波ケーブル６０を用いて接続されても、ＵＳＢホスト１０とＵＳＢデバイス２０との間で、データ伝送（ベースバンド信号のやりとり）が行われないという不具合が生じる可能性がある。
【００７５】
このような不具合が発生しないように、図３に示した通信部５３は、被検出機構５４を備える構成とされている。被検出機構５４は、ＵＳＢデバイス２０が内蔵する被検出機構２２に相当し（被検出機構２２と同様の機構であり）、ＵＳＢコネクタ５１が、ＵＳＢホスト１０のＵＳＢコネクタ１１に接続されると、ＵＳＢホスト１０に（電気的に）接続される。
【００７６】
したがって、ＵＳＢホスト１０は、図１のＵＳＢケーブル３０を介して、ＵＳＢデバイス２０に接続された場合に、そのＵＳＢデバイス２０が内蔵する被検出機構２２を検出し、ＵＳＢデバイス２０と接続されたと認識するのと同様に、ミリ波ケーブル５０が接続された場合には、通信部５３が有する被検出機構５４を検出し、ＵＳＢデバイス２０と接続されたと認識する。
【００７７】
その結果、ＵＳＢホスト１０では、ＵＳＢデバイス２０との間で、データ伝送（ベースバンド信号のやりとり）が行える状態とされる。よって、図３の通信システムによれば、ＵＳＢホスト１０とＵＳＢデバイス２０との間で、データ伝送を行うことができないという不具合を解消することができる。
【００７８】
＜通信部の構成例＞
図４は、図３の通信部５３と通信部６３の構成例を示すブロック図である。通信部５３は、送信部７１と受信部７２を有し、通信部６３は、送信部８１と受信部８２を有する。
【００７９】
送信部７１は、例えば、ミリ波帯の信号をキャリアとして用いる搬送波通信方式で、信号（データ）を送信する。すなわち、送信部７１は、（ＵＳＢホスト１０から供給される）ベースバンド信号を、ミリ波帯の変調信号に周波数変換し、導波路としてのミリ波コネクタ５２とミリ波コネクタ６２（図３）を介して（受信部８２に）送信する。
【００８０】
送信部７１は、被検出機構５４を有する。被検出機構５４は、ＵＳＢホスト１０から送信部７１にベースバンド信号が供給される経路上に設けられている。
【００８１】
したがって、ミリ波ケーブル５０（図３）（ＵＳＢコネクタ５１）が、ＵＳＢホスト１０（のＵＳＢコネクタ１１）に接続されると、ＵＳＢホスト１０は、送信部７１に対してベースバンド信号を供給する経路を介して、被検出機構５４を検出し、ＵＳＢデバイス２０と接続されたと認識する。
【００８２】
被検出機構５４は、接続検出部１０１により制御される。詳細は後述するが、接続検出部１０１は、ミリ波コネクタ５２とミリ波コネクタ６２が接続されたか否か（ＵＳＢホスト１０とＵＳＢデバイス２０が接続されたか否か）を検出し、接続されたことを検出したとき、そのことを示す信号(以下、接続検出信号と記述する)を、被検出機構５４に供給する。被検出機構５４は、接続検出信号の供給を受けたとき、オフの状態からオンの状態に切り替えられる。
【００８３】
なお、被検出機構５４がオンの状態とは、ＵＳＢホスト１０が、被検出機構５４を検出できる状態であることを意味し、被検出機構５４がオフの状態とは、ＵＳＢホスト１０が、被検出機構５４を検出できない状態であることを意味するとする。
【００８４】
接続検出部１０１は、例えば、ミリ波コネクタ５２内に設けられている。また、接続検出部１０１は、例えば、通信部５３の一部に設けられていても良い。また、接続検出部１０１は、ＵＳＢホスト１０内に設けられていても良い。
【００８５】
接続検出部１０１は、例えば、電気的にミリ波コネクタ５２とミリ波コネクタ６２の接続を検出する。例えば、ミリ波コネクタ５２とミリ波コネクタ６２が接続されたときに、微弱な電流が流れるような仕組みを設け、そのような電流が流れたか否かを検出することで、ミリ波コネクタ５２とミリ波コネクタ６２の接続が検出されるように、接続検出部１０１を構成することができる。
【００８６】
また、接続検出部１０１は、例えば、磁気的にミリ波コネクタ５２とミリ波コネクタ６２の接続を検出する。例えば、ミリ波コネクタ５２とミリ波コネクタ６２が接続されたときに、磁界の変化を検出するような仕組みを設け、そのような磁界の変化があったか否かを検出することで、ミリ波コネクタ５２とミリ波コネクタ６２の接続が検出されるように、接続検出部１０１を構成することができる。またこのようにした場合、ミリ波コネクタ５２とミリ波コネクタ６２のそれぞれに、磁石を備え、その磁石により、ミリ波コネクタ５２とミリ波コネクタ６２が接続される（保持される)構成とすることができる。
【００８７】
また、接続検出部１０１は、例えば、光学的にミリ波コネクタ５２とミリ波コネクタ６２の接続を検出する。例えば、ミリ波コネクタ５２に明暗センサーを設け、その明暗センサーによる光の強度の変化でミリ波コネクタ６２が接続されたことを検出するように、接続検出部１０１を構成することができる。
【００８８】
また、接続検出部１０１は、例えば、物理的にミリ波コネクタ５２とミリ波コネクタ６２の接続を検出する。例えば、ミリ波コネクタ５２にボタンを設け、ミリ波コネクタ６２に凸部を設け、ミリ波コネクタ６２が、ミリ波コネクタ５２に接続されたとき、ミリ波コネクタ６２の凸部が、ミリ波コネクタ５２のボタンを押下する仕組みを設ける。このボタンが押下されたときに、ミリ波コネクタ５２とミリ波コネクタ６２が接続されたと検出されるように、接続検出部１０１を構成することができる。
【００８９】
接続検出部１０１は、上記したような構成を有し、ミリ波コネクタ５２とミリ波コネクタ６２との接続を検出する。なお、上記した構成の他の構成で、ミリ波コネクタ５２とミリ波コネクタ６２との接続が検出されるようにした場合も、本技術の適用範囲である。
【００９０】
受信部７２は、（送信部８１から）導波路としてのミリ波コネクタ６２とミリ波コネクタ５２を介して、搬送波通信方式で送信されてくるミリ波帯の変調信号を受信し、ベースバンド信号に周波数変換して（ＵＳＢホスト１０に）出力する。
【００９１】
通信部６３の送信部８１は、例えば、送信部７１と同一の周波数帯、または、送信部７１と異なる周波数帯のミリ波の信号をキャリアとして用いる搬送波通信方式で、信号を送信する。すなわち、送信部８１は、（ＵＳＢデバイス２０から供給される）ベースバンド信号を、ミリ波帯の変調信号に周波数変換し、導波路としてのミリ波コネクタ６２とミリ波コネクタ５２を介して（受信部７２に）送信する。
【００９２】
受信部８２は、（送信部７１から）導波路としてのミリ波コネクタ５２とミリ波コネクタ６２を介して、搬送波通信方式で送信されてくるミリ波帯の変調信号を受信し、ベースバンド信号に周波数変換して（ＵＳＢデバイス２０に）出力する。
【００９３】
以上のように、通信部５３が、送信部７１と受信部７２を有するとともに、通信部６３が、送信部８１と受信部８２を有するので、通信部５３と通信部６３との間では、双方向の通信を行うことができる。
【００９４】
なお、送信部７１と送信部８１において、同一の周波数帯のミリ波の信号をキャリアとして用いる場合には、通信部５３と通信部６３との間では、半二重の通信を行うことができる。但し、送信部７１と送信部８１において、同一の周波数帯のミリ波の信号をキャリアとして用いる場合であっても、送信部７１と送信部８１のアイソレーションをとることにより、全二重の通信を行うことができる。
【００９５】
また、送信部７１と送信部８１において、異なる周波数帯のミリ波の信号をキャリアとして用いる場合には、通信部５３と通信部６３との間では、全二重の通信を行うことができる。
【００９６】
＜送信部７１の構成＞
図５は、図４の送信部７１の構成例を示す図である。
【００９７】
送信部７１は、被検出機構５４、ＩＣ（Integrated Circuit）１２１を含む構成とされている。被検出機構５４には、スイッチＳＷ１１、スイッチＳＷ１２、抵抗Ｒ１１、および抵抗Ｒ１２が含まれる。ＩＣ１２１には、コンデンサ１５１、コンデンサ１５２、バッファ１５３、アンプ１５４、およびミリ波生成部１５６が含まれる。ミリ波生成部１５６には、ミキサ１７１、発振器９２、およびアンプ１７３が含まれる。
【００９８】
送信部７１は、図６に示すように構成することも可能である。送信部７１を、１つのＩＣ１２１’で構成することも可能である。すなわち、図５に示した送信部７１は、被検出機構５４、ＩＣ１２１を含む構成とされているが、図６に示した送信部７１は、ＩＣ１２１’内に被検出機構５４も含まれた構成とされている。
【００９９】
図５、図６に示したように、送信部７１を１つのＩＣで構成することも可能であるし、ＩＣを含む構成とすることも可能である。以下の説明においては、図６に示した送信部７１を例に挙げて説明を続ける。
【０１００】
被検出機構５４は、ＵＳＢ3.0規格やＵＳＢ3.1規格で採用されているコモンモードインピーダンスとしての抵抗Ｒ１１と抵抗Ｒ１２で構成される。
【０１０１】
抵抗Ｒ１１と抵抗Ｒ１２のそれぞれの一端は、ＵＳＢホスト１０からベースバンド信号である差動信号が供給されるアンプ１５４の入力端子にバッファ１５３を介して接続され、抵抗Ｒ１１と抵抗Ｒ１２の他端は、スイッチＳＷ１１、スイッチＳＷ１２をそれぞれ介して接地されている。
【０１０２】
なお、抵抗Ｒ１１と抵抗Ｒ１２の他端は、例えば、所定の電圧を有する電源に、それぞれ接続されている構成としても良い。抵抗Ｒ１１と抵抗Ｒ１２のそれぞれの他端を所定の電圧を有する電源に接続するようにした場合、抵抗Ｒ１１と抵抗Ｒ１２に接続される一方の電源は、例えば、電圧+v(>0)の電源で、他方の電源は、例えば、電圧-vの電源とすることができる。
【０１０３】
抵抗Ｒ１１の一端は、アンプ１５４の２つの入力端子のうちの、差動信号の一方の信号であるポジティブ信号が供給（入力）される入力端子にバッファ１５３を介して接続され、他端は、スイッチＳＷ１１を介して接地されている。
【０１０４】
抵抗Ｒ１２の一端は、アンプ１５４の２つの入力端子のうちの、差動信号の他方の信号であるネガティブ信号が供給（入力）される入力端子にバッファ１５３を介して接続され、他端は、スイッチＳＷ１２を介して接地されている。
【０１０５】
ここで、差動信号であるネガティブ信号とポジティブ信号とは、理想的には、それらのネガティブ信号とポジティブ信号との加算値が0になる信号である。
【０１０６】
スイッチＳＷ１１とスイッチＳＷ１２は、それぞれ、接続検出部１０１からの接続検出信号により、オンおよびオフが制御される。具体的には、接続検出部１０１から、ミリ波コネクタ５２とミリ波コネクタ６２が接続されたこと（デバイスが接続されたこと）を示す接続検出信号が供給されたとき、スイッチＳＷ１１とスイッチＳＷ１２は、それぞれオンにされる。
【０１０７】
例えば、接続検出部１０１から、接続が検出されている間は、所定の間隔で、接続検出信号が出力されるようにし、接続検出信号が出されている間は、スイッチＳＷ１１とスイッチＳＷ１２のオンの状態が維持されているようにしても良い。
【０１０８】
また、例えば、接続検出部１０１からは、接続が検出されたときや、接続が解除されたことが検出されたときだけ、接続検出信号が出力されるようにし、接続検出信号が出されたときに、スイッチＳＷ１１とスイッチＳＷ１２のオンまたはオフの状態が、オフまたはオンの状態へと切り替えられるようにしても良い。
【０１０９】
以上のように構成される送信部７１では、ミリ波ケーブル５０（図３）が、ＵＳＢホスト１０に接続されると、ＵＳＢホスト１０が、アンプ１５４の入力端子に接続された被検出機構５４を構成するコモンモードインピーダンスとしての抵抗Ｒ１１と抵抗Ｒ１２を検出する。
【０１１０】
これにより、ＵＳＢホスト１０は、ＵＳＢデバイス２０と接続されたと認識し、ベースバンド信号の出力を開始する。
【０１１１】
被検出機構５４がオンの状態にされると、アンプ１５４には、ＵＳＢホスト１０から、ベースバンド信号である差動信号（例えば、ＵＳＢ3.0であれば、ＵＳＢ3.0用の+と-の信号送信線の信号）が、コンデンサ１５１，１５２、およびバッファ１５３を介して供給される。
【０１１２】
また、アンプ１５４から出力されたベースバンド信号は、信号検出部１５５にも供給される。信号検出部１５５は、例えば、供給されたベースバンド信号(差動信号)の差分値が所定の値以上である場合、信号が供給されたことを検出する。信号検出部１５５により信号が検出された場合、ミリ波生成部１５６は、ミリ波の生成を開始する。
【０１１３】
換言すれば、信号検出部１５５により信号が検出されている間、ミリ波生成部１５６は、オンの状態にされ、信号検出部１５５により信号が検出されていないときには、ミリ波生成部１５６は、オフの状態にされる。
【０１１４】
ミリ波生成部１５６がオンの状態のとき、ミリ波生成部１５６のアンプ１５４は、差動信号を必要に応じて増幅し、ミリ波生成部１５６内のミキサ１７１に供給する。
【０１１５】
発振器１７２は、発振によって、例えば、60GHz等のミリ波帯のキャリアを発生し、ミキサ１７１に供給する。
【０１１６】
ここで、60GHz等のミリ波帯のキャリアによれば、例えば、最大で、10Gbps程度のデータレートの差動信号を送信することができる。例えば、ＵＳＢ3.0では、最大のデータレートが、5Gbps(Giga bit per second)であるので、60GHz等のミリ波帯のキャリアによれば、ＵＳＢ3.0のデータ（差動信号）を、問題なく送信することができる。
【０１１７】
ミキサ１７１は、アンプ１５４からの差動信号と、発振器１７２からのキャリアとをミキシング（乗算）することにより、差動信号を、発振器１７２からのキャリアによって周波数変換し、その結果得られる、ミリ波帯の、例えば、振幅変調（ASK（Amplitude Shift Keying)）の変調信号を、アンプ１７３に供給する。
【０１１８】
アンプ１７３は、ミキサ１７１からの変調信号を必要に応じて増幅し、導波路（としてのミリ波コネクタ５２）上に出力（送信）する。このようにして変調された信号を、受信部８２は受信する。
【０１１９】
受信部８２は、図７に示すような構成を有している。すなわち、受信部８２は、アンプ２０１、ミキサ２０２、アンプ２０３、コンデンサ２０４、およびコンデンサ２０５を有する。
【０１２０】
アンプ２０１は、送信部７１から導波路（としてのミリ波コネクタ５２とミリ波コネクタ６２）を介して送信されてくるミリ波帯の変調信号を受信し、必要に応じて増幅して、ミキサ２０２に供給する。
【０１２１】
ミキサ２０２は、アンプ２０１から供給されるミリ波帯の変調信号同士をミキシングする（変調信号を自乗する）自乗検波を行うことで、アンプ２０１からのミリ波帯の変調信号を、ベースバンド信号である差動信号に周波数変換し、アンプ２０３に供給する。
【０１２２】
アンプ２０３は、ミキサ２０２からの差動信号を、必要に応じて増幅し、ＵＳＢの差動信号（例えば、ＵＳＢ3.0であれば、ＵＳＢ3.0用の+と-の信号送信線の信号）として、ＵＳＢデバイス２０に供給する。
【０１２３】
なお、アンプ２０３で得られる差動信号としての２つの（ベースバンド）信号のうちの一方の信号（以下、ポジティブ信号ともいう）は、コンデンサ２０４を介して、ＵＳＢデバイス２０に供給され、他方の信号（以下、ネガティブ信号ともいう）は、コンデンサ２０５を介して、ＵＳＢデバイス２０に供給される。コンデンサ２０４とコンデンサ２０５では、直流分がカットされる。
【０１２４】
また、図７では、受信部８２において、自乗検波によって、ミリ波帯の変調信号をベースバンド信号に周波数変換することとしたが、受信部８２では、その他、例えば、キャリアを再生して、そのキャリアを変調信号とミキシングする同期検波等の、自乗検波以外の検波によって、変調信号をベースバンド信号に周波数変換することができる。
【０１２５】
通信部５３の受信部７２(図４)は、図７に示した通信部６３の受信部８２と同様の構成とすることができるため、ここではその説明を省略する。
【０１２６】
通信部６３の送信部８１は、図６に示した通信部５３の送信部７１と同様の構成、または、被検出機構５４を削除した構成とすることができるため、ここではその説明を省略する。
【０１２７】
以上のように構成される送信部７１および受信部７２、並びに、送信部８１および受信部８２では、ＵＳＢホスト１０からＵＳＢデバイス２０へのベースバンド信号の伝送は、送信部７１からミリ波帯の変調信号を送信し、その変調信号を、受信部８２で受信することにより行われる。
【０１２８】
＜送信部７１の動作について＞
図８を参照し、送信部７１の動作の変化について説明する。図８の上図は、ミリ波コネクタ５２とミリ波コネクタ６２が接続されていないときの通信部５３（通信部５３内の送信部７１）の状態(状態１とする)を表し、中図は、ミリ波コネクタ５２とミリ波コネクタ６２が接続された直後の送信部７１の状態(状態２とする)を表し、下図は、ミリ波コネクタ５２とミリ波コネクタ６２が接続されているときの送信部７１の状態(状態３とする)を表す。
【０１２９】
図８の上図を参照するに、状態１は、ミリ波コネクタ５２とミリ波コネクタ６２が接続されていないときの状態であるため、接続検出部１０１は、ミリ波コネクタ５２とミリ波コネクタ６２の接続を検出していない状態である。
【０１３０】
また状態１のときには、接続検出部１０１が接続を検出していない状態のため、被検出機構５４はオフの状態であるため、ＵＳＢホスト１０からのベースバンド信号の供給がない状態である。また、状態１のときは、ＵＳＢホスト１０からのベースバンド信号の供給がない状態であるため、信号検出部１５５は、信号を検出していない状態である。
【０１３１】
さらに、状態１のときは、信号検出部１５５が信号を検出していない状態であるため、ミリ波生成部１５６は、オフにされている状態であり、ミリ波を出力していない状態である。
【０１３２】
このように、ミリ波コネクタ５２とミリ波コネクタ６２が接続されていない状態１の場合、ミリ波は出力されていない。よって、ミリ波コネクタ５２とミリ波コネクタ６２が接続されていないときに、不要に、ミリ波が出力されるようなことを防ぐことができる。すなわち、不要輻射を低減することができる。
【０１３３】
また仮に、ミリ波コネクタ５２とミリ波コネクタ６２が接続されていないときにもミリ波が出力されているような構成の場合、すなわち、非意図的放射（Unintentional radiator）がある場合、その非意図的放射のレベルを、所定の値以下に抑える、所定の機関に承認を得なければ製品化できないなどの制限が加わる可能性がある。
【０１３４】
しかしながら、本技術によれば、上記したように、不要輻射を低減させる（なくす）ことができる。換言すれば、ミリ波コネクタ５２とミリ波コネクタ６２が接続されていない状態のときには、ミリ波が出力されないように制御されるため、非意図的放射がなく、所定の機関に承認を得る必要もなくなる。
【０１３５】
さらに、ミリ波コネクタ５２とミリ波コネクタ６２が接続されていない状態のときには、ミリ波生成部１５６がオフの状態とされているため、ミリ波生成部１５６で消費される電力を低減させることができる。よって、本技術を適用することで、消費電力を低減させるという効果も期待できる。
【０１３６】
さらに、本技術によれば、以下のように状態が変化するため、ＵＳＢホスト１０とＵＳＢデバイス２０との間で、データ伝送を行うことができないという不具合が発生するようなことを防ぐこともできる。
【０１３７】
状態２において、被検出機構５４がオンの状態にされる。図８の中図を参照するに、状態２は、ミリ波コネクタ５２とミリ波コネクタ６２が接続され、接続検出部１０１が、ミリ波コネクタ５２とミリ波コネクタ６２の接続を検出した状態である。
【０１３８】
また状態２のときには、接続検出部１０１が接続を検出した状態のため、被検出機構５４がオフの状態からオンの状態に切り替えられる。換言すれば、スイッチＳＷ１１とスイッチＳＷ１２が閉じられる。被検出機構５４がオンにされると、ＵＳＢホスト１０は、被検出機構５４を検出できる状態となる。
【０１３９】
状態２のときには、まだＵＳＢホスト１０からのベースバンド信号の供給がない状態である。また、状態２のときは、ＵＳＢホスト１０からのベースバンド信号の供給がない状態であるため、信号検出部１５５は、信号を検出していない状態である。
【０１４０】
さらに、状態２のときは、信号検出部１５５が信号を検出していない状態であるため、ミリ波生成部１５６は、オフにされている状態であり、ミリ波を出力していない状態である。
【０１４１】
このように、ミリ波コネクタ５２とミリ波コネクタ６２が接続された直後の状態２の場合、ミリ波は出力されていないため、通信が開始されていないときに、不要に、ミリ波が出力されるようなことを防ぐことができる。よって、上記した効果を得ることができる。
【０１４２】
さらに、被検出機構５４がオンにされると、ＵＳＢホスト１０は、被検出機構５４を検出できる状態となるため、送信部７１の状態は、状態３へと移行する。状態３は、ミリ波コネクタ５２とミリ波コネクタ６２の接続が確立され、ＵＳＢホスト１０からベースバンド信号が出力されている状態である。
【０１４３】
状態３のときには、接続検出部１０１が接続を検出し続けている状態のため、被検出機構５４がオンの状態のまま維持されている。換言すれば、スイッチＳＷ１１とスイッチＳＷ１２が閉じられた状態が維持されている。また状態３のときには、ＵＳＢホスト１０は、被検出機構５４を検出したため、ベースバンド信号の出力を行っている状態である。
【０１４４】
また、状態２のときは、ＵＳＢホスト１０からベースバンド信号が供給されている状態であるため、信号検出部１５５は、信号を検出した状態となる。そして状態３のときは、信号検出部１５５が信号を検出している状態であるため、ミリ波生成部１５６は、オンにされ、ミリ波が出力される状態である。
【０１４５】
このように、ミリ波コネクタ５２とミリ波コネクタ６２が接続され、ベースバンド信号が供給されている状態３の場合のみ、ミリ波が出力される。よって、ミリ波コネクタ５２とミリ波コネクタ６２が接続されていないときや、ベースバンド信号が出力されていないとき、換言すれば、通信が行われていないときに、不要に、ミリ波が出力されるようなことを防ぐことができる。よって、上記した効果を得ることができる。
【０１４６】
また、ＵＳＢホスト１０は、被検出機構５４があることで、ミリ波コネクタ５２とミリ波コネクタ６２が接続されたことを検出することができるため、ＵＳＢホスト１０とＵＳＢデバイス２０との間で、データ伝送を行うことができないという不具合が発生するようなことを防ぐこともできる。
【０１４７】
ここまでに説明した状態１、状態２、および状態３についてまとめると、図９に示すような表となる。
【０１４８】
状態１は、ＵＳＢホスト１０とＵＳＢデバイス２０との接続検出（ミリ波コネクタ５２とミリ波コネクタ６２の接続検出）がない状態であり、送信部７１へのベースバンド信号の入力がない状態であり、送信部７１からのミリ波出力がない（ミリ波通信が行われていない)状態である。このような状態１は、デバイスが未接続で、不要なミリ波出力が発生していない状態である。
【０１４９】
状態２は、ＵＳＢホスト１０とＵＳＢデバイス２０との接続検出（ミリ波コネクタ５２とミリ波コネクタ６２の接続検出）がある状態であり、送信部７１へのベースバンド信号の入力がない状態であり、送信部７１からのミリ波出力がない（ミリ波通信が行われていない)状態である。このような状態２は、デバイスが接続されるが、ベースバンド入力がなく、不要なミリ波出力が発生していない状態である。
【０１５０】
状態３は、ＵＳＢホスト１０とＵＳＢデバイス２０との接続検出（ミリ波コネクタ５２とミリ波コネクタ６２の接続検出）がある状態であり、送信部７１へのベースバンド信号の入力がある状態であり、送信部７１からのミリ波出力がある（ミリ波通信が行われている)状態である。このような状態３は、デバイスが接続され、ベースバンド入力があり、ミリ波通信が可能な状態である。
【０１５１】
さらに状態としては、状態４になることも想定される。状態４は、ＵＳＢホスト１０とＵＳＢデバイス２０との接続検出（ミリ波コネクタ５２とミリ波コネクタ６２の接続検出）がない状態であり、送信部７１へのベースバンド信号の入力がある状態であり、送信部７１からのミリ波出力がない（ミリ波通信が行われていない)状態である。このような状態４は、ベースバンド入力はあるが、デバイスが接続されておらず、不要なミリ波が発生してない状態である。
【０１５２】
デバイスが接続されていないため、接続検出部１０１により接続が検出されていない状態であり、被検出機構５４がオフの状態であるのに、ベースバンド信号が入力されている状態であるため、何らかのエラーが発生している状態であると考えられる。
【０１５３】
また、送信部７１にベースバンド信号が入力されているにも係わらず、ミリ波生成部１５６でミリ波が生成されていない状態であるため、この点でも、何らかのエラーが発生している状態であると考えられる。
【０１５４】
また、仮に、状態４のような状態が発生した場合、送信部７１にベースバンド信号が入力されているために、信号検出部１５５により信号があると検出され、ミリ波生成部１５６がオンの状態とされ、ミリ波が出力される可能性がある。この状態（図示はしていないが状態５）は、デバイスが接続されていないのに、ベースバンド信号の供給があり、ミリ波が出力される状態であり、この点でも、何らかのエラーが発生している状態であると考えられる。
【０１５５】
そこで、このようなエラーが発生しないように、送信部７１の構成を、図１０に示すようにし、より確実に、デバイスが接続されているときだけ、ミリ波が出力される制御が行われるようにしても良い。
【０１５６】
図１０に示した送信部７１は、図６に示した送信部７１と比べて、接続検出部１０１からの信号が、信号検出部１５５にも供給される構成とされている点以外は、図６に示した送信部７１と同一の構成である。
【０１５７】
図１０に示した送信部７１の構成によると、接続検出部１０１から、ミリ波コネクタ５２とミリ波コネクタ６２が接続されたことを示す信号（デバイスが接続されたことを示す接続検出信号）が、スイッチＳＷ１１、スイッチＳＷ１２、および信号検出部１５５に供給される。接続検出信号が、スイッチＳＷ１１とスイッチＳＷ１２に供給されることで、上記した場合と同じく、スイッチＳＷ１１とスイッチＳＷ１２はそれぞれオンの状態にされ、被検出機構５４がオンの状態とされる。
【０１５８】
さらに、接続検出信号が、信号検出部１５５に供給されることで、信号検出部１５５は、デバイスが接続されたことを検出することができる。信号検出部１５５は、デバイスが接続されたことが検出されたときであり、かつアンプ１５４を介してベースバンド信号が入力されていることを検出したときに、ミリ波生成部１５６をオンの状態にし、ミリ波が出力される状態とする。
【０１５９】
このように、信号検出部１５５は、デバイスの検出とベースバンド信号の検出の両方が検出されたときのみ、ミリ波生成部１５６をオンの状態とする。このように、信号検出部１５５が、ミリ波生成部１５６をオン、オフを制御することで、状態４のような状態（エラーが発生しているような状態）になったときでも、ミリ波が出力されないように制御することが可能となる。
【０１６０】
例えば、状態４のように、デバイスが接続されていない状態であるが、ベースバンド信号が入力されている状態が発生した場合、デバイスが接続されていない状態であるため、接続検出部１０１からは、接続検出信号が出力されない。そして、信号検出部１５５は、アンプ１５４から、ベースバンド信号が供給されても、接続検出信号が供給されていない状態であるため、ミリ波生成部１５６をオフの状態のままとし、オンにする制御は行わない。よって、状態４のような状態が発生しても、ミリ波を出力するような状態とはならない。
【０１６１】
なお、図１０に示した送信部７１は、信号検出部１５５を設け、信号検出部１５５により、ミリ波生成部１５６のオン、オフが制御される構成を示したが、図１１に示すように、信号検出部１５５を設けない構成とし、接続検出信号により、直接的にミリ波生成部１５６のオン、オフが制御される構成とすることも可能である。
【０１６２】
図１１に示した送信部７１は、図６に示した送信部７１から、信号検出部１５５を削除し、接続検出部１０１からの信号が、ミリ波生成部１５６にも供給される構成とされている点以外は、図６に示した送信部７１と同一の構成である。
【０１６３】
図１１に示した送信部７１の構成によると、接続検出部１０１から、接続検出信号が、スイッチＳＷ１１、スイッチＳＷ１２、およびミリ波生成部１５６に供給される。接続検出信号が、スイッチＳＷ１１とスイッチＳＷ１２に供給されることで、上記した場合と同じく、スイッチＳＷ１１とスイッチＳＷ１２はそれぞれオンの状態にされ、被検出機構５４がオンの状態とされる。
【０１６４】
さらに、接続検出信号が、ミリ波生成部１５６に供給されると、ミリ波生成部１５６は、オンの状態になり、ミリ波を出力する状態となる。すなわちこの場合、ミリ波生成部１５６は、接続検出部１０１からの接続検出信号により、オン、オフが制御される構成とされる。
【０１６５】
このように、接続検出部１０１からの接続検出信号により、ミリ波生成部１５６が制御されるようにした場合、例えば、状態４のように、デバイスが接続されていない状態であるが、ベースバンド信号が入力されている状態が発生した場合であっても、デバイスが接続されていない状態であるため、接続検出部１０１からは、接続検出信号が出力されず、ミリ波生成部１５６はオフの状態で維持される。よって状態４のような状態が発生しても、ミリ波を出力するような状態とはならない。
【０１６６】
なお、図１０または図１１は、図６に示した送信部７１に対して適用した場合を示したが、図５に示した送信部７１に対して適用することも可能である。
【０１６７】
＜送信部７１の動作について＞
次に、図１２のフローチャートを参照し、送信部７１の動作について説明する。なおここでは、図６に示した送信部７１の動作であるとして説明を続けるが図５、図１０、図１１に示した送信部７１においても、基本的に同様の動作である。
【０１６８】
ステップＳ１１において、送信部７１は、接続検出部１０１から、接続検出信号が供給されたか否かを判定する。ステップＳ１１において、接続検出信号が供給されたと判定されるまで、ステップＳ１１における判定が繰り返される。この状態は、図８、図９を参照して説明した状態１である。すなわち、ベースバンド信号の入力は無く、ミリ波の出力もない状態である。
【０１６９】
ステップＳ１１において、接続検出信号が供給されたと判定された（デバイスが接続されたと判定された）場合、ステップＳ１２に処理が進められる。ステップＳ１２において、被検出機構５４内のスイッチＳＷ１１とスイッチＳＷ１２が、共にオンの状態にされる（閉じられる）ことで、被検出機構５４がオンの状態にされる。すなわち、ＵＳＢホスト１０が、被検出機構５４を検出できるように、被検出機構５４とＵＳＢホスト１０が接続された状態とする。
【０１７０】
この状態は、図８、図９を参照して説明した状態２である。すなわち、デバイスの接続は検出されたが、ベースバンド信号の入力は無く、ミリ波の出力もない状態である。
【０１７１】
ステップＳ１３において、ＵＳＢホスト１０から、ベースバンド信号が供給されたか否かが判定される。ステップＳ１３において、ベースバンド信号が供給されたと判定されるまで、ステップＳ１３における判定が繰り返される。
【０１７２】
ステップＳ１３において、ベースバンド信号が供給されたと判定された場合、ステップＳ１４に処理が進められる。ステップＳ１４において、ミリ波生成部１５６がオンにされ、ミリ波の出力が開始される。
【０１７３】
ベースバンド信号が供給されることで、信号検出部１５５は、ベースバンド信号が供給されたことを検出し、ミリ波生成部１５６をオンの状態にする。ミリ波生成部１５６がオンにされることで、供給されたベースバンド信号が、ミリ波生成部１５６によりミリ波に変換され、出力される。
【０１７４】
このようにして、ＵＳＢホスト１０とＵＳＢデバイス２０との間の通信路が確立される。
【０１７５】
このようにして通信路が確立された後、ミリ波を用いた通信が、ＵＳＢホスト１０とＵＳＢデバイス２０との間で行われる。そして、ＵＳＢホスト１０とＵＳＢデバイス２０との接続が解除された場合、ミリ波生成部１５６からのミリ波の出力は停止される。
【０１７６】
すなわちまず、ＵＳＢホスト１０とＵＳＢデバイス２０の接続が解除されると、接続検出部１０１が、接続が解除されたことを検出し、被検出機構５４内のスイッチＳＷ１１とスイッチＳＷ１２が開かれる（オフにされる）。
【０１７７】
被検出機構５４がオフにされることで、ＵＳＢホスト１０は、被検出機構５４を検出できない状態となるため、ベースバンド信号の出力を停止する。ＵＳＢホスト１０からのベースバンド信号の供給が停止されると、信号検出部１５５は、信号を検出していないと判定し、ミリ波生成部１５６をオフの状態に戻す。ミリ波生成部１５６がオフにされることで、ミリ波生成部１５６からのミリ波の出力が停止される。
【０１７８】
よって、接続されていたデバイスが取り除かれたような場合にも、ミリ波が出力されないように制御することができる。
【０１７９】
本技術によれば、デバイスが接続されていないとき（ミリ波コネクタ５２とミリ波コネクタ６２が接続されていないとき）に、不要に、ミリ波が出力されるようなことを防ぐことができ、不要輻射を低減することができる。
【０１８０】
また、ミリ波コネクタ５２とミリ波コネクタ６２が接続されていない状態のときには、ミリ波生成部１５６がオフの状態とされているため、ミリ波生成部１５６で消費される電力を低減させることができる。よって、消費電力を低減させるという効果も期待できる。
【０１８１】
さらに、本技術によれば、ＵＳＢホスト１０とＵＳＢデバイス２０との間で、データ伝送を行うことができないという不具合が発生するようなことを防ぐこともできる。
【０１８２】
＜本技術を適用した通信システムの他の実施の形態＞
図１３は、本技術を適用した通信システムの他の構成例を示す図である。
【０１８３】
図１３の通信システムでは、ＵＳＢホスト３１０とＵＳＢデバイス３２０とが、ミリ波対応電気ケーブル３３０により接続されている。
【０１８４】
ＵＳＢホスト３１０は、ＵＳＢホスト１０と同様のＵＳＢホストとなる機能を有する電子機器であり、ＵＳＢインターフェース３１１およびミリ波コネクタ３１２を有する。
【０１８５】
ＵＳＢインターフェース３１１は、ＵＳＢによるデータ伝送を制御するインターフェースであり、ミリ波コネクタ３１２（が内蔵する通信部３１３）に接続されている。
【０１８６】
ミリ波コネクタ３１２は、ミリ波コネクタ５２やミリ波コネクタ６２（図３）と同様に、ミリ波帯の変調信号を伝送する導波路となる誘電体等の材料で構成され、通信部３１３を内蔵している。
【０１８７】
通信部３１３は、通信部５３（図３）と同様に構成され、ＵＳＢインターフェース３１１との間で、ベースバンド信号の送受信を行うとともに、導波路としてのミリ波コネクタ３１２とミリ波コネクタ３３１を介し、通信部３３３との間で、ミリ波帯の変調信号の送受信を行う。
【０１８８】
ＵＳＢデバイス３２０は、ＵＳＢデバイス２０と同様のＵＳＢデバイスとなる機能を有する電子機器であり、ＵＳＢインターフェース３２１およびミリ波コネクタ３２２を有する。
【０１８９】
ＵＳＢインターフェース３２１は、ＵＳＢによるデータ伝送を制御するインターフェースであり、ミリ波コネクタ３２２（が内蔵する通信部３２３）に接続されている。
【０１９０】
ミリ波コネクタ３１２は、ミリ波コネクタ５２やミリ波コネクタ６２（図３）と同様に、ミリ波帯の変調信号を伝送する導波路となる誘電体等の材料で構成され、通信部３２３を内蔵している。
【０１９１】
通信部３２３は、例えば、通信部６３（図３）と同様に構成され、ＵＳＢインターフェース３２１との間で、ベースバンド信号の送受信を行うとともに、導波路としてのミリ波コネクタ３２２とミリ波コネクタ３３２を介し、通信部３３４との間で、ミリ波帯の変調信号の送受信を行う。
【０１９２】
ミリ波対応電気ケーブル３３０は、一端に、ＵＳＢホスト３１０のミリ波コネクタ３１２と勘合するミリ波コネクタ３３１が設けられ、他端に、ＵＳＢデバイス３２０のミリ波コネクタ３２２と勘合するミリ波コネクタ３３２が設けられている、心線が導体のケーブルである。
【０１９３】
ミリ波コネクタ３３１とミリ波コネクタ３３２は、ミリ波コネクタ５２やミリ波コネクタ６２（図３）と同様に、ミリ波帯の変調信号を伝送する導波路となる誘電体等の材料で構成される。そして、ミリ波コネクタ３３１は、通信部３３３を内蔵し、ミリ波コネクタ３３２は、通信部３３４を内蔵している。
【０１９４】
通信部３３３は、例えば、通信部６３（図３）と同様に構成され、導波路としてのミリ波コネクタ３３１とミリ波コネクタ３１２を介し、通信部３１３との間で、ミリ波帯の変調信号の送受信を行うとともに、ミリ波対応電気ケーブル３３０の心線としての導体を介し、通信部３３４との間で、ベースバンド信号の送受信を行う。
【０１９５】
通信部３３４は、例えば、通信部５３（図３）と同様に構成され、導波路としてのミリ波コネクタ３３２とミリ波コネクタ３２２を介し、通信部３２３との間で、ミリ波帯の変調信号の送受信を行うとともに、ミリ波対応電気ケーブル３３０の心線としての導体を介し、通信部３３３との間で、ベースバンド信号の送受信を行う。
【０１９６】
図１３では、ＵＳＢホスト３１０のミリ波コネクタ３１２に、ミリ波対応電気ケーブル３３０のミリ波コネクタ３３１が接続されるとともに、ＵＳＢデバイス３２０のミリ波コネクタ３２２に、ミリ波対応電気ケーブル３３０のミリ波コネクタ３３２が接続されることによって、ＵＳＢホスト３１０と、ＵＳＢデバイス３２０とが、ミリ波対応電気ケーブル３３０を介して接続される。
【０１９７】
そして、通信部３１３と通信部３３３との間での変調信号のやりとり、通信部３３３と通信部３３４との間でのベースバンド信号のやりとり、および、通信部３３４と通信部３２３との間での変調信号のやりとりが行われることで、ＵＳＢホスト３１０のＵＳＢインターフェース３１１と、ＵＳＢデバイス３２０のＵＳＢインターフェース３２１との間で、ベースバンド信号によるデータ伝送が行われる。
【０１９８】
図１３では、ミリ波コネクタ３１２，３２２，３３１，３３２は、ミリ波コネクタ５２やミリ波コネクタ６２と同様に、非金属で構成することができ、この場合、金属で構成されるコネクタに比較して、防水や防塵の対応が容易になり、挿抜による接点の劣化を考慮せずに済み、さらに、デザインの自由度を高くすることができる。
【０１９９】
ここで、図３の通信システムでは、ＵＳＢホスト１０とＵＳＢデバイス２０との間で、データ伝送を行うのに、２本のミリ波ケーブル５０とミリ波ケーブル６０で、ＵＳＢホスト１０とＵＳＢデバイス２０を接続する必要がある。
【０２００】
但し、図３の通信システムでは、図１３の場合のように、ＵＳＢホスト１０やＵＳＢデバイス２０に、ミリ波コネクタ３１２やミリ波コネクタ３２２のようなミリ波コネクタを設ける必要がない。
【０２０１】
一方、図１３の通信システムでは、ＵＳＢホスト３１０に、ミリ波コネクタ３１２を設けるとともに、ＵＳＢデバイス３２０に、ミリ波コネクタ３２２を設ける必要がある。
【０２０２】
但し、図１３の通信システムでは、ＵＳＢホスト３１０とＵＳＢデバイス３２０との間で、データ伝送を行うのに、１本のミリ波対応電気ケーブル３３０で、ＵＳＢホスト３１０とＵＳＢデバイス３２０とを接続することができる。
【０２０３】
さらに、図１３の通信システムでは、ＵＳＢホスト３１０とミリ波対応電気ケーブル３３０との接続部分、および、ＵＳＢデバイス３２０とミリ波対応電気ケーブル３３０との接続部分の両方で、防水や防塵の対応が容易になる等のメリットを享受することができる。
【０２０４】
図１４は、本技術を適用した通信システムの他の構成例を示す図である。
【０２０５】
なお、図中、図１３の場合と対応する部分については、同一の符号を付してあり、以下では、その説明は、適宜省略する。
【０２０６】
図１４の通信システムは、ＵＳＢホスト３１０とＵＳＢデバイス３２０を有する点で、図１３の場合と共通するが、ミリ波対応電気ケーブル３３０に代えて、ミリ波伝送用ケーブル３５０が設けられている点で、図１３の場合と相違する。
【０２０７】
ミリ波伝送用ケーブル３５０は、ミリ波帯の変調信号を伝送する導波路が心線になっているケーブルであり、一端に、ＵＳＢホスト３１０のミリ波コネクタ３１２と勘合するミリ波コネクタ３５１が設けられ、他端に、ＵＳＢデバイス３２０のミリ波コネクタ３２２と勘合するミリ波コネクタ３５２が設けられている。
【０２０８】
ミリ波コネクタ３５１とミリ波コネクタ３５２は、ミリ波コネクタ５２やミリ波コネクタ６２（図３）と同様に、ミリ波帯の変調信号を伝送する導波路となる誘電体等の材料で構成される。
【０２０９】
したがって、ミリ波伝送用ケーブル３５０の全体（ミリ波コネクタ３５１からミリ波コネクタ３５２までの間）は、ミリ波帯の変調信号を伝送する導波路になっている。
【０２１０】
図１４では、ＵＳＢホスト３１０のミリ波コネクタ３１２に、ミリ波伝送用ケーブル３５０のミリ波コネクタ３５１が接続されるとともに、ＵＳＢデバイス３２０のミリ波コネクタ３２２に、ミリ波伝送用ケーブル３５０のミリ波コネクタ３５２が接続されることによって、ＵＳＢホスト３１０と、ＵＳＢデバイス３２０とが、ミリ波伝送用ケーブル３５０を介して接続される。
【０２１１】
そして、通信部３１３と通信部３２３との間で、導波路としてのミリ波伝送用ケーブル３５０を介して、ミリ波帯の変調信号のやりとりが行われることで、ＵＳＢホスト３１０のＵＳＢインターフェース３１１と、ＵＳＢデバイス３２０のＵＳＢインターフェース３２１との間で、ベースバンド信号によるデータ伝送が行われる。
【０２１２】
図１４の通信システムでも、図１３の場合と同様の効果を享受することができる。
【０２１３】
図１５は、本技術を適用した通信システムの他の構成例を示す図である。
【０２１４】
なお、図中、図１３の場合と対応する部分については、同一の符号を付してあり、以下では、その説明は、適宜省略する。
【０２１５】
図１５の通信システムは、ＵＳＢホスト３１０とＵＳＢデバイス３２０を有する点で、図１３の場合と共通するが、ミリ波対応電気ケーブル３３０が設けられていない点で、図１３の場合と相違する。
【０２１６】
ＵＳＢホスト３１０のミリ波コネクタ３１２と、ＵＳＢデバイス３２０のミリ波コネクタ３２２は、ミリ波対応電気ケーブル３３０のミリ波コネクタ３３１とミリ波コネクタ３３２（や、ミリ波伝送用ケーブル３５０のミリ波コネクタ３５１とミリ波コネクタ３５２）に、それぞれ勘合する他、互いに、直接勘合するようにも構成することができる。
【０２１７】
図１５では、例えば、ＵＳＢホストとしてのPC(Personal Computer)に、ＵＳＢデバイスとしてのＵＳＢメモリが直接接続されている場合のように、ＵＳＢホスト３１０のミリ波コネクタ３１２と、ＵＳＢデバイス３２０のミリ波コネクタ３２２とが直接接続される。
【０２１８】
そして、ミリ波コネクタ３１２が有する通信部３１３とミリ波コネクタ３２２が有する通信部３２３との間で、導波路としてのミリ波コネクタ３１２とミリ波コネクタ３２２を介して、ミリ波帯の変調信号のやりとりが行われることで、ＵＳＢホスト３１０のＵＳＢインターフェース３１１と、ＵＳＢデバイス３２０のＵＳＢインターフェース３２１との間で、ベースバンド信号によるデータ伝送が行われる。
【０２１９】
図１５の通信システムでも、図１３の場合と同様の効果を享受することができる。
【０２２０】
なお、本技術の実施の形態は、上述した実施の形態に限定されるものではなく、本技術の要旨を逸脱しない範囲において種々の変更が可能である。
【０２２１】
例えば、本実施の形態では、変調信号として、ミリ波帯の信号を採用したが、変調信号としては、ミリ波よりも低い、または、高い周波数帯の信号を採用することができる。
【０２２２】
また、本実施の形態では、本技術を、ＵＳＢ規格に準拠した電子機器（により構成される通信システム）に適用した場合について説明したが、本技術は、ＵＳＢ機器に準拠した電子機器の他、例えば、PCI Expressをインターフェースとして有する電子機器のような、通信相手の検出（通信相手との接続）を、その通信相手が有する被検出機構を用いて行う方式を採用する電子機器等に適用することができる。
【０２２３】
さらに、図３の通信システムでは、通信部５３を、ミリ波コネクタ５２に内蔵させることとしたが、通信部５３は、通信部６３との間に、変調信号を伝送する導波路が形成されることを条件として、ミリ波ケーブル５０の任意の位置に内蔵させることができる。通信部６３も、通信部５３との間に、導波路が形成されることを条件として、ミリ波コネクタ６２以外のミリ波ケーブル６０の任意の位置に内蔵させることができる。
【０２２４】
ここで、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、および、１つの筐体の中に複数のモジュールが収納されている１つの装置は、いずれも、システムである。
【０２２５】
また、本明細書に記載された効果はあくまで例示であって限定されるものではなく、他の効果があってもよい。
【０２２６】
なお、本技術は、以下のような構成をとることができる。
（１）
第１の電子機器と、前記第１の電子機器が出力するベースバンド信号を受信する第２の電子機器とが接続されたときに、前記第１の電子機器によって検出される、前記第２の電子機器が内蔵する機構に相当する被検出機構であって、前記第１の電子機器と接続される被検出機構と、
前記第１の電子機器と前記第２の電子機器との接続が検出された場合に、前記被検出機構を、前記第１の電子機器に接続する接続部と、
前記第１の電子機器が出力するベースバンド信号を、前記ベースバンド信号よりも高い周波数帯域の信号に周波数変換したミリ波帯の信号を生成するミリ波生成部と
を備え、
前記接続部が接続され、前記ベースバンド信号が入力されているとき、前記ミリ波生成部は前記ミリ波帯の信号を生成する
通信装置。
（２）
前記ベースバンド信号を検出する信号検出部をさらに備え、
前記信号検出部が、前記ベースバンド信号を検出したとき、前記ミリ波生成部は前記ミリ波帯の信号を生成する
前記（１）に記載の通信装置。
（３）
前記信号検出部が、前記ベースバンド信号を検出し、かつ前記第１の電子機器と前記第２の電子機器との接続が検出された状態であることを示す信号が供給されたとき、前記ミリ波生成部は前記ミリ波帯の信号を生成する
前記（２）に記載の通信装置。
（４）
前記被検出機構、前記接続部、および前記ミリ波生成部は、１つのＩＣ（Integrated Circuit）に含まれている
前記（１）乃至（３）のいずれかに記載の通信装置。
（５）
前記被検出機構は、コモンモードインピーダンスで構成される
前記（１）乃至（４）のいずれかに記載の通信装置。
（６）
第１の電子機器と、前記第１の電子機器が出力するベースバンド信号を受信する第２の電子機器とが接続されたときに、前記第１の電子機器によって検出される、前記第２の電子機器が内蔵する機構に相当する被検出機構であって、前記第１の電子機器と接続される被検出機構を備える通信装置の通信方法において、
前記第１の電子機器と前記第２の電子機器との接続が検出された場合に、前記被検出機構を、前記第１の電子機器に接続し、
前記第１の電子機器が出力するベースバンド信号を、前記ベースバンド信号よりも高い周波数帯域の信号に周波数変換したミリ波帯の信号を生成する
ステップを含み、
前記被検出機構が前記第１の電子機器と接続され、前記ベースバンド信号が入力されているとき、前記ミリ波帯の信号を生成する
通信方法。
【符号の説明】
【０２２７】
１０  ＵＳＢホスト，  １１  ＵＳＢコネクタ，  ２０  ＵＳＢデバイス，  ２１  ＵＳＢコネクタ，  ２２  被検出機構，  ３０  ＵＳＢケーブル，  ３１，３２  ＵＳＢコネクタ，  ５０  ミリ波ケーブル，  ５１  ＵＳＢコネクタ，  ５２  ミリ波コネクタ，  ５３  通信部，  ５４  被検出機構，  ６０  ミリ波ケーブル，  ６１  ＵＳＢコネクタ，  ６２  ミリ波コネクタ，  ６３  通信部，  ７１  送信部，  ７２  受信部，  ８１  送信部，  ８２  受信部，  １０１  接続検出部，  １２１  ＩＣ，  １５１，１５２  コンデンサ，  １５３  バッファ，  １５４  アンプ，  １５５  信号検出部，  １７１  ミキサ，  １７２  発振器，  １７３  アンプ，  ２０１  アンプ，  ２０２  ミキサ，  ２０３  アンプ，  ２０４，２０５  コンデンサ，  ３１０  ＵＳＢホスト，  ３１１  ＵＳＢインターフェース，  ３１２  ミリ波コネクタ，  ３１３  通信部，  ３２０  ＵＳＢデバイス，  ３２１  ＵＳＢインターフェース，  ３２２  ミリ波コネクタ，  ３２３  ミリ波コネクタ，  ３３０  ミリ波対応電気ケーブル，  ３３１，３３２  ミリ波コネクタ，  ３３３，３３４  通信部，  ３５０  ミリ波伝送用ケーブル，  ３５１，３５２  ミリ波コネクタ
【図１】
2018113612.tif 000003
【図２】
2018113612.tif 000004
【図３】
2018113612.tif 000005
【図４】
2018113612.tif 000006
【図５】
2018113612.tif 000007
【図６】
2018113612.tif 000008
【図７】
2018113612.tif 000009
【図８】
2018113612.tif 000010
【図９】
2018113612.tif 000011
【図１０】
2018113612.tif 000012
【図１１】
2018113612.tif 000013
【図１２】
2018113612.tif 000014
【図１３】
2018113612.tif 000015
【図１４】
2018113612.tif 000016
【図１５】
2018113612.tif 000017